(57)【要約】【課題】外壁沿いに配設される配管・配線の露出を防止するにあたり、配管・配線経路に関する自由度を高めることができる建物の外壁構造を提供する。【解決手段】建物１０の南側外壁部２２において出隅部３１を形成する両外壁部分２２ａ ，２２ｃの屋外側に跨がって出隅カバー５１が設けられている。出隅カバー５１と両外壁部分２２ａ，２２ｃとの間には、空調装置の空調用配管４８を配設するための配管設置スペース７７が形成されている。【選択図】      図３
2014084629.tif 000002
【特許請求の範囲】
【請求項１】
建物外壁において出隅を形成する両外壁部分の屋外側に跨がって化粧カバーが設けられており、
前記化粧カバーと前記両外壁部分との間には、配管又は配線を配設するための配設スペースが形成されていることを特徴とする建物の外壁構造。
【請求項２】
前記化粧カバーは、前記両外壁部分にそれぞれ対向して設けられた一対のパネル部を有しており、それら各パネル部は互いの端部同士を接合させてＬ字状に配置されていることを特徴とする請求項１に記載の建物の外壁構造。
【請求項３】
前記建物外壁の下方には、当該外壁に沿って基礎が設けられており、
前記基礎には、前記配設スペースの下方に張り出した張出基礎部が設けられていることを特徴とする請求項１又は２に記載の建物の外壁構造。
【請求項４】
前記配設スペースの下面側には、当該スペースから配管又は配線を下方に引き出すための引出口が設けられており、
前記引出口の下方には、前記張出基礎部が存在しない無基礎領域が形成されていることを特徴とする請求項３に記載の建物の外壁構造。
【請求項５】
前記配設スペースの下面側において前記無基礎領域の上方には、同スペース内の配管又は配線を点検するための点検口が設けられており、
前記点検口には、当該点検口を閉鎖する蓋部材が取り外し可能に設けられており、
その蓋部材に前記引出口が形成されていることを特徴とする請求項４に記載の建物の外壁構造。
【請求項６】
前記化粧カバーは、前記建物外壁において建物正面を向く外壁部分と、その外壁部分と前記出隅を介して隣り合う外壁部分との両外壁部分の屋外側に跨がって設けられ、
前記引出口は、前記配設スペースの下面側において建物正面側とは異なる側に配置されており、
前記張出基礎部は、前記引出口の下方に形成された前記無基礎領域を建物正面側から覆うように設けられていることを特徴とする請求項４又は５に記載の建物の外壁構造。
【請求項７】
前記化粧カバーと前記外壁部分との間には、前記化粧カバーを前記外壁部分に固定するための固定フレームが設けられており、
前記固定フレームは、
前記外壁部分及び前記化粧カバーのうちいずれか一方に固定された複数の縦材と、
他方に固定された複数の横材と、
前記縦材と前記横材との間ごとに設けられ、それら両者を互いに連結する連結材と、
を備え、
前記連結材は、前記縦材と前記横材とを前記配設スペース内に配設された配管又は配線の太さよりも大きな距離を隔てて連結するものであることを特徴とする請求項１乃至６のいずれか一項に記載の建物の外壁構造。
【請求項８】
前記化粧カバーは、複数のパネル材が並設されることにより構成されていることを特徴とする請求項１乃至７のいずれか一項に記載の建物の外壁構造。
【発明の詳細な説明】
【技術分野】
【０００１】
本発明は、建物の外壁構造に関する。
【背景技術】
【０００２】
住宅等の建物では、建物の外壁面に沿って配管や配線が配設される場合がある。例えば、空調装置では屋内に設置される室内機と屋外に設置される室外機とが空調用配管を介して接続され、その空調用配管が屋外側において外壁面に沿って配設されることがある。
【０００３】
外壁面に沿って配管や配線を配設する際には、配管・配線の屋外への露出を防止すべく配管・配線カバーが外壁に取り付けられることがある。例えば特許文献１には、建物正面の外壁に外付けされる化粧材により配管・配線カバーを構成したものが開示されている。具体的には、この外付け化粧材は、外壁に接触させて設けられる接触部と、平面視コ字状をなすとともにその溝部により外壁との間に空間部を形成する非接触部とを有している。これによれば、上記空間部に配管や配線を上下方向に通すことができ、配管や配線を屋外に露出させることなく外壁沿いに配設できる。また、化粧材により配線・配管カバーが構成されているため、建物の美観を向上させることもできる。
【先行技術文献】
【特許文献】
【０００４】
【特許文献１】特開２０１２−６２７３６号公報
【発明の概要】
【発明が解決しようとする課題】
【０００５】
しかしながら、上記特許文献１の外付け化粧材では、上記空間部が上下方向にのみ延びているだけであるため、配管や配線を上下方向に沿ってしか配設することができず、配管・配線経路の自由度が小さいという問題がある。
【０００６】
また、空調装置では、室外機が屋外において建物正面（南面）から目立ちにくい場所（例えば建物西面等）に固定設置されるのに対し、室内機の設置位置が部屋のリフォーム等に伴い例えば建物西面から南面へと変更されることがある。この場合、空調用配管を外壁面に沿って室内機のある南面側から室外機のある西面側へと２面に跨がり取り回す必要が生じ、上記の外付け化粧材では対応することが不可となってしまう。
【０００７】
本発明は、上記事情に鑑みてなされたものであり、外壁沿いに配設される配管・配線の露出を防止するにあたり、配管・配線経路に関する自由度を高めることができる建物の外壁構造を提供することを主たる目的とするものである。
【課題を解決するための手段】
【０００８】
上記課題を解決すべく、第１の発明の建物の外壁構造は、建物外壁において出隅を形成する両外壁部分の屋外側に跨がって化粧カバーが設けられており、前記化粧カバーと前記両外壁部分との間には、配管又は配線を配設するための配設スペースが形成されていることを特徴とする。
【０００９】
本発明によれば、建物外壁において出隅を形成する両外壁部分の屋外側に跨がって化粧カバーが設けられ、その化粧カバーと両外壁部分との間に配管又は配線を配設する配設スペースが形成されているため、配設スペースが建物外壁の２面に跨がって形成されている。これにより、配設スペースにおいて配管又は配線を建物外壁沿いに２面に跨がり配設することができる等、配管又は配線の配設に関し自由度を高めることができる。
【００１０】
第２の発明の建物の外壁構造は、第１の発明において、前記化粧カバーは、前記両外壁部分にそれぞれ対向して設けられた一対のパネル部を有しており、それら各パネル部は互いの端部同士を接合させてＬ字状に配置されていることを特徴とする。
【００１１】
本発明によれば、化粧カバーにおいて各パネル部がＬ字状に配置されており、それら各パネル部がそれぞれ出隅を形成する両外壁部分に跨がって設けられている。これにより、平面視でＬ字状をなす配設スペースを形成することができる。
【００１２】
第３の発明の建物の外壁構造は、第１又は第２の発明において、前記建物外壁の下方には、当該外壁に沿って基礎が設けられており、前記基礎には、前記配設スペースの下方に張り出した張出基礎部が設けられていることを特徴とする。
【００１３】
本発明によれば、配設スペースの下方に張出基礎部が設けられているため、建物外壁に化粧カバーが外付けされる構成にあって基礎と建物との一体感を高めることができる。
【００１４】
第４の発明の建物の外壁構造は、第３の発明において、前記配設スペースの下面側には、当該スペースから配管又は配線を下方に引き出すための引出口が設けられており、前記引出口の下方には、前記張出基礎部が存在しない無基礎領域が形成されていることを特徴とする。
【００１５】
本発明によれば、配設スペースの下面側に配管又は配線の引出口が設けられ、その引出口の下方には張出基礎部が存在しない無基礎領域が形成されているため、配設スペースの下方に張出基礎部を設けた構成にあって、配管又は配線を配設スペースから下方に引き出すことができる。これにより、化粧カバーに引出口を形成し同引出口から配管又は配線を側方に引き出す場合と比べて、建物の美観が損なわれるのを抑制することができる。
【００１６】
第５の発明の建物の外壁構造は、第４の発明において、前記配設スペースの下面側において前記無基礎領域の上方には、同スペース内の配管又は配線を点検するための点検口が設けられており、前記点検口には、当該点検口を閉鎖する蓋部材が取り外し可能に設けられており、その蓋部材に前記引出口が形成されていることを特徴とする。
【００１７】
本発明によれば、点検口を閉鎖するための蓋部材に引出口が形成されているため、引出口を点検口とは異なる場所に別途設ける必要がなく、構成の簡素化を図ることができる。また、引出口が点検口と同位置にあることから、配管又は配線は点検口を通って配設されている。そのため、点検口から配管又は配線の点検をする際点検がし易い。
【００１８】
第６の発明の建物の外壁構造は、第４又は第５の発明において、前記化粧カバーは、前記建物外壁において建物正面を向く外壁部分と、その外壁部分と前記出隅を介して隣り合う外壁部分との両外壁部分の屋外側に跨がって設けられ、前記引出口は、前記配設スペースの下面側において建物正面側とは異なる側に配置されており、前記張出基礎部は、前記引出口の下方に形成された前記無基礎領域を建物正面側から覆うように設けられていることを特徴とする。
【００１９】
本発明によれば、引出口が建物正面側とは異なる側に配置され、その引出口の下方に無基礎領域が形成されているため、配設スペース内の配管又は配線を建物正面側とは異なる側で引き出すことができる。これにより、建物正面側の美観が配管又は配線により損なわれるのを抑制することができる。また、張出基礎部が無基礎領域を建物正面側から覆うように設けられているため、引出口より無基礎領域に引き出される配管又は配線を建物正面側から覆い隠すことができる。これにより、建物正面側の美観が損なわれるのを大いに抑制することができる。
【００２０】
第７の発明の建物の外壁構造は、第１乃至第６のいずれかの発明において、前記化粧カバーと前記外壁部分との間には、前記化粧カバーを前記外壁部分に固定するための固定フレームが設けられており、前記固定フレームは、前記外壁部分及び前記化粧カバーのうちいずれか一方に固定された複数の縦材と、他方に固定された複数の横材と、前記縦材と前記横材との間ごとに設けられ、それら両者を互いに連結する連結材と、を備え、前記連結材は、前記縦材と前記横材とを前記配設スペース内に配設された配管又は配線の太さよりも大きな距離を隔てて連結するものであることを特徴とする。
【００２１】
本発明によれば、化粧カバーが固定フレームを介して外壁部分に固定されているため、化粧カバーを外壁部分の屋外側に安定した状態で設置することができる。また、固定フレームにおいて縦材と横材とは連結材を介して配設スペース内の配管又は配線の太さよりも大きな距離を隔てて連結されている。このため、配設スペース内において配管又は配線を縦横いずれの向きにも配設し易くその取り回しを好適に行うことができる。
【００２２】
第８の発明の建物の外壁構造は、第１乃至第７のいずれかの発明において、前記化粧カバーは、複数のパネル材が並設されることにより構成されていることを特徴とする。
【００２３】
本発明によれば、化粧カバーが複数のパネル材により構成されているため、化粧カバーを建物外壁に外付けする際には、重量の小さいパネル材単位で取付作業をすることができる。これにより、化粧カバーの取り付けに際し作業負担の軽減を図ることができる。
【図面の簡単な説明】
【００２４】
【図１】建物の外観を示す外観図。
【図２】建物の一階部分を示す平面図。
【図３】出隅カバー及びその周辺を示す平面図。
【図４】出隅カバー及びその周辺を示す縦断面図。
【図５】出隅カバー及び固定用フレームの構成を示す分解斜視図。
【図６】引出口周辺を示す断面図。
【図７】引出口周辺を示す底面図。
【図８】引出口周辺を示す斜視図。
【図９】出隅カバーの設置部分周辺における基礎の配置状態を示す平面図。
【図１０】水切部材及び防鼠部材の配設経路を示す平面図。
【図１１】水切部材及び防鼠部材の設置構成を示す断面図であり、（ａ）が図１０のＣ−Ｃ線断面、（ｂ）が図１０のＤ−Ｄ線断面、（ｃ）が図１０のＥ−Ｅ線断面に相当する。
【図１２】（ａ）が横フレーム材及びその周辺部材を示す平面図、（ｂ）が正面図、（ｃ）が側面図である。
【図１３】建物のリフォーム後における一階部分を示す平面図。
【発明を実施するための形態】
【００２５】
以下に、本発明を具体化した一実施の形態について図面を参照しつつ説明する。本実施形態では、建物としてユニット式建物について具体化している。ユニット式建物は複数の建物ユニットを互いに連結することにより構成される建物である。建物ユニットは、複数の柱及び梁が互いに連結されることにより略直方体状に形成されたものである。図１は建物の外観を示す図である。なお、図１は建物を南側から見た図となっている。
【００２６】
図１に示すように、建物１０は、基礎１１と、その基礎１１上に設けられた建物本体１２と、建物本体１２の上方に設けられた屋根部１３とを備える。建物本体１２は、一階部分１４と二階部分１５とを有する二階建てであり、複数の建物ユニットが互いに連結されることにより構成されている。
【００２７】
建物１０の一階部分１４には、その南面にアルコーブ１８（凹所）が設けられている。アルコーブ１８の奥側には玄関口１６が設けられ、その玄関口１６には玄関ドア１７が設けられている。したがって、本建物１０はいわゆる南入りの建物となっており、建物１０の南面が建物正面となっている。また、建物１０の二階部分１５にはバルコニー１９（ルーフバルコニー）が設けられている。
【００２８】
次に、建物１０の一階部分１４について図２に基づいて説明する。図２は建物１０の一階部分１４を示す平面図である。
【００２９】
図２に示すように、建物１０の外周部には外壁部２１〜２３が設けられている。具体的には、建物１０の北側には北側外壁部（図示略）が設けられ、建物１０の東側には東側外壁部２１が設けられ、建物１０の南側には南側外壁部２２が設けられ、建物１０の西側には西側外壁部２３が設けられている。
【００３０】
建物１０の一階部分１４には、屋内空間として、リビング２６、和室２７、玄関ホール２８、アルコーブ１８等が設けられている。リビング２６と和室２７とはいずれも南側外壁部２２に隣接して設けられ、いわゆる南向きの部屋となっている。リビング２６は、南側外壁部２２に加え西側外壁部２３にも隣接しており、南西向きの角部屋となっている。
【００３１】
和室２７は、リビング２６の東隣りに配置されており、その一部がリビング２６よりも南側に張り出して形成されている。この場合、南側外壁部２２では、和室２７に隣接した外壁部分２２ａがリビング２６に隣接した外壁部分２２ｂに対して南寄りに配置されており、それら各外壁部分２２ａ，２２ｂが和室２７西側の外壁部分２２ｃを介して連続している。
【００３２】
南側外壁部２２の各外壁部分２２ａ，２２ｃの間には出隅部３１が形成されている。また、建物１０の南面側（正面側）には、その他に南側外壁部２２と西側外壁部２３との間に出隅部３２が形成され、二階部分１５における南側外壁部２２と東側外壁部２１との間に出隅部３３（図１参照）が形成されている。
【００３３】
玄関ホール２８は、玄関口１６を介してアルコーブ１８と連通されている。アルコーブ１８は、南側外壁部２２を一部後退させることにより形成された凹状空間となっており、南側に向けて開放されている。
【００３４】
建物１０には、リビング２６の空調を行う空調装置４１と、和室２７の空調を行う空調装置４２とが設けられている。空調装置４１は、リビング２６に設けられた室内機４３と、屋外に設けられた室外機４４とを備え、室内機４３と室外機４４とは空調用配管４５を介して接続されている。室内機４３はリビング２６において西側外壁部２３の屋内面に設置され、室外機４４は屋外において西側外壁部２３を挟んで室内機４３とは反対側に設置されている。空調用配管４５は、冷媒管等を含んで構成され、西側外壁部２３に形成された貫通孔３８を通じてリビング２６から屋外に引き出されている。
【００３５】
空調装置４２は、和室２７に設けられた室内機４６と、屋外に設けられた室外機４７とを備え、室内機４６と室外機４７とは空調用配管４８を介して接続されている。室内機４６は和室２７において南側外壁部２２の外壁部分２２ｃの屋内面に設置され、室外機４７は屋外において外壁部分２２ｃを挟んで室内機４６とは反対側に設置されている。空調用配管４８は、冷媒管等を含んで構成され、外壁部分２２ｃに形成された貫通孔３９を通じて和室２７から屋外に引き出されている。
【００３６】
このように各空調装置４１，４２では、いずれも室外機４４，４７が屋外において建物１０の西面側、すなわち建物１０の正面（南面）側とは異なる側に配置されている。これにより、室外機４４，４７の設置によって建物１０正面の外観が損なわれることが抑制されている。
【００３７】
建物１０において南側（正面側）の各出隅部３１〜３３にはそれぞれ出隅カバー５０〜５２が設けられている（図１も参照）。これら各出隅カバー５０〜５２はいずれも、平面視略Ｌ字状をなしており、出隅部３１〜３３を覆うようにして設けられている。
【００３８】
各出隅カバー５０〜５２のうち、出隅カバー５０は出隅部３２に対して設けられ、一階部分１４の下端部から二階部分１５のバルコニー１９の腰壁４９上端までの範囲に亘って上下に延びている。出隅カバー５１は出隅部３１に対して設けられ、一階部分１４及び二階部分１５の高さ方向全域に亘って上下に延びている。出隅カバー５２は出隅部３３に対して設けられ、二階部分１５の高さ方向全域に亘って上下に延びている。このように各出隅部３１〜３３に出隅カバー５０〜５２が設けられることで、建物１０正面側の外観が重厚感のあるものとなっている。
【００３９】
ところで本実施形態では、これらの出隅カバー５０〜５２を用いて外壁部２１〜２３の外面（屋外側面）に沿って配設される空調用配管を覆い、それによって空調用配管の屋外への露出を防止するようにしている。具体的には、出隅カバー５０によって空調用配管４５を覆い、出隅カバー５１によって空調用配管４８を覆い、出隅カバー５２によって二階部分１５の空調用配管（図示略）を覆うようにしている。以下、かかる特徴を有する出隅カバー５０〜５２の構成について図３乃至図５を用いながら具体的に説明する。
【００４０】
なお、各出隅カバー５０〜５２はいずれも基本的構成が同じであるため、以下においては特に出隅カバー５１を中心に説明をする。図３は出隅カバー５１及びその周辺を示す平面図である。図４は出隅カバー５１及びその周辺を示す縦断面図であり、図３のＡ−Ａ線断面図に相当する。図５は出隅カバー５１及び同カバー５１を南側外壁部２２に固定するための固定用フレームの構成を示す分解斜視図である。
【００４１】
図３及び図４に示すように、南側外壁部２２の各外壁部分２２ａ，２２ｃにはそれぞれ屋外側に外壁パネル５５が設けられ、その屋内側（和室２７側）に内壁パネル５６が設けられている。外壁パネル５５は、外壁面（外面）を形成する外壁面材５７と、その裏面側（屋内面側）に固定された外壁フレーム５８とを備える。外壁面材５７は例えば窯業系サイディングにより形成されている。なお、図４では便宜上、内壁パネル５６の図示を省略している。
【００４２】
外壁フレーム５８は、断面コ字状の軽量鉄骨材からなる縦フレーム材５８ａ及び横フレーム材５８ｂが矩形枠状に連結されることで構成されている。外壁フレーム５８の各横フレーム材５８ｂはその溝部を下方に向けた状態で配置されており、それら各横フレーム材５８ｂのうち上下の横フレーム材５８ｂはそれぞれ床梁３５及び天井梁（図示略）にボルト９２で固定されている。
【００４３】
南側外壁部２２の各外壁部分２２ａ，２２ｃのコーナ部分には、出隅部３１を形成するコーナ外壁面材６３が設けられている。コーナ外壁面材６３は、外壁面材５７と同じく窯業系サイディングにより形成されており、上記コーナ部分に沿った断面Ｌ字状をなしている。コーナ外壁面材６３は、各外壁部分２２ａ，２２ｃの外壁面材５７を繋ぐように配設されており、柱３６の外側面に固定されている。
【００４４】
内壁パネル５６は、和室２７の屋内面を形成する内壁面材５９と、内壁面材５９の裏面側（屋外面側）に固定された内壁フレーム６０とを備える。内壁面材５９は、例えば石膏ボードにより形成され、内壁フレーム６０は、木製の角材からなる複数のフレーム材が矩形枠状に連結されることで構成されている。内壁フレーム６０は、外壁フレーム５８の屋内側面に設けられた木レンガ６１にビス等で固定されている。これにより、内壁パネル５６が外壁パネル５５に固定されている。
【００４５】
南側外壁部２２における各外壁部分２２ａ，２２ｃのコーナ部分には、その屋外側に出隅カバー５１が設けられている。出隅カバー５１は、平面視において上記コーナ部分に沿った略Ｌ字状をなしており、各外壁部分２２ａ，２２ｃの屋外側に跨がって設けられている。
【００４６】
出隅カバー５１は、外壁部分２２ｃの屋外側に設けられた平板状の第１カバー部５１ａと、外壁部分２２ａの屋外側に設けられた平板状の第２カバー部５１ｂとを備える。それら各カバー部５１ａ，５１ｂは互いの幅方向の端部同士を接続することによりＬ字状に配置されている。この場合、各カバー部５１ａ，５１ｂによって頂部５３（換言するとカバー出隅部）が形成されている。
【００４７】
また、出隅カバー５１は、さらに第１カバー部５１ａにおいて頂部５３とは反対側の端部と外壁部分２２ｃとに跨がって設けられた繋ぎカバー部５１ｃと、第２カバー部５１ｂにおいて頂部５３とは反対側の端部と外壁部分２２ａとに跨がって設けられた繋ぎカバー部５１ｄとを備える。これにより、出隅カバー５１と南側外壁部２２（両外壁部分２２ａ，２２ｃ）との間には、これら両者２２，５１（５１ａ〜５１ｄ）によって囲まれた内側空間（後述する配管設置スペース７７）が形成されている。
【００４８】
具体的には、出隅カバー５１は複数の壁面材６６よりなり、それら各壁面材６６が縦横に並べられる（割り付けられる）ことにより構成されている。各壁面材６６は例えば窯業系サイディングにより形成されている。壁面材６６は、一階部分１４と二階部分１５とにそれぞれ横並びに複数ずつ設けられており、本実施形態では５つずつ設けられている。
【００４９】
各壁面材６６はそれぞれ南側外壁部２２の各外壁部分２２ａ，２２ｃのコーナ部分に沿って横並びに配置され、図３では外壁部分２２ｃ側から外壁部分２２ａ側にかけて順に壁面材６６ａ、壁面材６６ｂ、壁面材６６ｃ、壁面材６６ｄ、壁面材６６ｅが配置されている。
【００５０】
各壁面材６６ａ〜６６ｅについて詳しくは、壁面材６６ａは平面視Ｌ字状をなしており、繋ぎカバー部５１ｃと第１カバー部５１ａの一部とを構成している。壁面材６６ｂは平板状をなしており、第１カバー部５１ａの一部を構成している。壁面材６６ｃは平面視Ｌ字状をなしており、第１カバー部５１ａの一部と第２カバー部５１ｂの一部とを構成している。壁面材６６ｄは平板状をなしており、第２カバー部５１ｂの一部を構成している。壁面材６６ｅは平面視Ｌ字状をなしており、繋ぎカバー部５１ｄと第２カバー部５１ｂの一部とを構成している。なお、図５では、各壁面材６６ａ〜６６ｅのうち、特に第１カバー部５１ａを構成している壁面材６６ａ，６６ｂ，６６ｃについて図示している。
【００５１】
出隅カバー５１と南側外壁部２２との間には、出隅カバー５１を南側外壁部２２に固定するための固定用フレーム６５（以下、単にフレームという）が設けられている。フレーム６５は、一階部分１４と二階部分１５とのそれぞれにおいて南側外壁部２２の外壁部分２２ｃと第１カバー部５１ａとの間、及び、外壁部分２２ａと第２カバー部５１ｂとの間に配設されている。外壁部分２２ｃと第１カバー部５１ａとの間に配置されるフレーム６５（以下、フレーム６５Ａという）と、外壁部分２２ａと第２カバー部５１ｂとの間に配置されるフレーム６５（以下、フレーム６５Ｂという）とは基本的に同じ構成となっており、以下においては各フレーム６５Ａ，６５Ｂのうち特にフレーム６５Ａの構成について説明する。なお、図５ではフレーム６５Ａについて図示している。
【００５２】
フレーム６５Ａは、南側外壁部２２の外壁部分２２ｃの外面（屋外側面）に固定された複数の横フレーム材６７と、出隅カバー５１の裏面に固定された複数の縦フレーム材６８と、それら各フレーム材６７，６８同士を互いに連結する連結材６９とを備える。
【００５３】
横フレーム材６７は、長尺平板状の鋼板よりなり、外壁部分２２ｃの壁幅方向に延びるように設けられている。横フレーム材６７は、上下方向に所定間隔をおいて複数（具体的には３つ）配置されている。詳しくは、各横フレーム材６７はそれぞれ外壁フレーム５８の横フレーム材５８ｂに対応させて配置されており、各横フレーム材５８ｂに対してそれぞれビス７４により固定されている。なお、ビス７４は外壁面材５７を貫通した状態で横フレーム材５８ｂに打ち付けられている。また、各横フレーム材６７にはそれぞれ長手方向の一端部（詳しくは頂部５３とは反対側の端部）に屋外側に向けて延びる取付板部７２が設けられている。
【００５４】
縦フレーム材６８は、長尺平板状の木材よりなる。縦フレーム材６８は、各横フレーム材６７に跨がるようにして上下に延びるように設けられている。縦フレーム材６８は、外壁部分２２ｃの壁幅方向に所定間隔をおいて複数（具体的には３つ）配置されている。各縦フレーム材６８のうち、縦フレーム材６８ａは出隅カバー５１において隣接する各壁面材６６ａ，６６ｂの裏面に跨がって設けられている。それら各壁面材６６ａ，６６ｂはそれぞれ縦フレーム材６８ａにビス７５で固定されている。また、縦フレーム材６８ｂは隣接する各壁面材６６ｂ，６６ｃの裏面に跨がって設けられている。それら各壁面材６６ｂ，６６ｃはそれぞれ縦フレーム材６８ｂにビス７５で固定されている。
【００５５】
連結材６９は、断面コ字状をなす鋼板により形成されている。連結材６９は、横フレーム材６７と縦フレーム材６８とが交差する各交差部においてそれら両フレーム材６７，６８の間にそれぞれ配設されている。連結材６９は、そのウェブ６９ａを縦フレーム材６８の屋内側面に当接させた状態で同フレーム材６８にビスにより固定され、各フランジ６９ｂの先端部を横フレーム材６７の屋外側面に当接させた状態で同フレーム材６７に溶接固定されている。これにより、各横フレーム材６７と各縦フレーム材６８とが連結材６９を介して互いに連結されている。
【００５６】
また、連結材６９は、各フレーム材６７，６８を外壁部分２２ｃの壁厚み方向（以下、単に壁厚み方向という）において空調装置４２の空調用配管４８の外径よりも大きな間隔を隔てて連結している。また、連結材６９は、その壁厚み方向の長さ（フランジ６９ｂ長さ）が各フレーム材６７，６８の壁厚み方向の長さすなわち各フレーム材６７，６８の厚みよりも十分大きくなっている。
【００５７】
各横フレーム材６７の取付板部７２の外側面には、各取付板部７２に跨がって上下に延びる縦フレーム材７１が固定されている。縦フレーム材７１は、長尺状の木材よりなり、縦フレーム材７１において取付板部７２とは反対側の面には壁面材６６ａ（詳細にはその繋ぎカバー部５１ｃ）がビスで固定されている。
【００５８】
なお、出隅カバー５１は建物１０の施工に際して、南側外壁部２２の屋外側に取り付けられる（外付けされる）ものとなっている。この場合、まず南側外壁部２２の各外壁部分２２ａ，２２ｃにフレーム６５Ａ，６５Ｂを取り付け、その後各フレーム６５Ａ，６５Ｂに壁面材６６ａ〜６６ｅを順次取り付けていくこととなる。このように、出隅カバー５１を製造工場で建物ユニットに取り付けるのではなく施工現場で取り付けるようにすることで、建物ユニットの輸送に際してユニット寸法が輸送制限を超えてしまうことがないようになっている。
【００５９】
また、以下の説明では、出隅カバー５１（各壁面材６６）と、各フレーム６５とを合わせたものを出隅壁部７０ともいう。
【００６０】
出隅カバー５１と南側外壁部２２との間のスペースは、空調装置４２の空調用配管４８を配設するための配管設置スペース７７となっている。配管設置スペース７７は、平面視において出隅カバー５１に沿った略Ｌ字状をなしており、南側外壁部２２の各外壁部分２２ａ，２２ｃの屋外側に跨がって延びている。空調用配管４８は、配管設置スペース７７において外壁部分２２ｃと第１カバー部５１ａとの間で上下方向に延びる向きで配設されている。
【００６１】
配管設置スペース７７の下面側には、空調用配管４８を同スペース７７から屋外に引き出すための引出口８１が設けられている。引出口８１は、平面視において外壁部分２２ｃと第１カバー部５１ａとの間に配置されており、換言すると建物１０の西面側に配置されている。以下、この引出口８１周辺の構成について図６乃至図８に基づいて説明する。なお、図６は引出口８１周辺を示す断面図であり、図３のＢ−Ｂ線断面図に相当する。図７は引出口８１周辺を示す底面図である。図８は引出口８１周辺を示す斜視図である。
【００６２】
図６乃至図８に示すように、配管設置スペース７７の下面側は開放されており、その開放部分のうちの一部が同スペース７７内の空調用配管４８を点検するための点検口８０となっている。後述するように、配管設置スペース７７の下方には張出基礎８８が設けられるが、点検口８０の下方には張出基礎８８が設けられず無基礎領域９１が形成されている。換言すると、点検口８０は、配管設置スペース７７の下面側の開放部分のうち無基礎領域９１の上方（真上）領域によって形成されている。
【００６３】
点検口８０には、当該点検口８０を閉鎖する蓋部材８２が設けられている。蓋部材８２は、矩形平板状に形成されており、詳しくは２つ割りにされた各蓋部８２ａ，８２ｂよりなる。本実施形態では、蓋部材８２が外壁材を用いて形成されている。外壁材としては、例えばサイディングや鋼材（望ましくは（表面）塗装あり）等が挙げられるが、必ずしもこれに限られるものではない。また、外壁材以外の材料を用いてもよい。
【００６４】
蓋取付部８３は、各蓋部８２ａ，８２ｂの上面（裏面）にそれぞれ設けられ、蓋取付部８３ａの下面に蓋部８２ａがビス８４で取り付けられ、蓋取付部８３ｂの下面に蓋部８２ｂがビス８４で取り付けられている。この場合、各ビス８４を取り外すことで蓋部材８２の取り外しが可能となっている。
【００６５】
蓋部材８２には、引出口８１が形成されている。引出口８１は、蓋部材８２を板厚方向に貫通する円形状の孔部であり、各蓋部８２ａ，８２ｂに跨がって形成されている。引出口８１は、その内径が空調用配管４８の外径と同じか又はそれよりも若干大きい寸法に設定されている。引出口８１には空調用配管４８が挿通されており、その挿通状態で引出口８１と空調用配管４８との隙間にはシール材が充填されている。これにより、当該隙間から配管設置スペース７７に鼠等の小動物が侵入するのが防止されている。
【００６６】
次に、出隅カバー５１の設置部分周辺の基礎１１の配置について図９に基づき説明する。図９は出隅カバー５１の設置部分周辺における基礎１１の配置状態を示す平面図である。なお、図９では出隅壁部７０（出隅カバー５１）を一点鎖線で示し、引出口８１を二点鎖線で示している。
【００６７】
図９に示すように、基礎１１は、鉄筋コンクリート造りの布基礎により構成されている。基礎１１は、外壁部２１〜２３の下方に設けられており、当該外壁部２１〜２３（換言すると建物外周部）に沿って建物外周部全域に亘って配設されている。図示は省略するが、基礎１１上には建物ユニットの各柱３６が立設されており、それら各柱３６を介して基礎１１上に建物１０の荷重が作用するようになっている。
【００６８】
出隅壁部７０の下方には、張出基礎８８が設けられている。張出基礎８８は、基礎１１の外側面から屋外側（換言すると出隅壁部７０の下方）に張り出して設けられており、平面視において出隅壁部７０に沿ったＬ字状をなしている。また、張出基礎８８は、その屋外側の端部が出隅カバー５１（詳細にはその内側面）とほぼ同位置に位置している。なお、この場合張出基礎８８が張出基礎部に相当する。
【００６９】
張出基礎８８は、鉄筋コンクリートにより形成されており、基礎１１の外側面に複数のアンカー８９を介して固定されている。アンカー８９は異形鉄筋よりなり、その一部が張出基礎８８内に予め埋設され、張出基礎８８から露出した部分が基礎１１内部に打ち込まれている。また、張出基礎８８上には、出隅カバー５１及びフレーム６５（すなわち出隅壁部７０）が載置されておらず、そのため張出基礎８８上には出隅壁部７０の荷重が作用しないようになっている。
【００７０】
なお、張出基礎８８は、基礎１１の打設に際し当該基礎１１と一体に形成するようにしてもよい。また、張出基礎８８上に出隅壁部７０を載置して、出隅壁部７０の荷重を張出基礎８８上に作用させるようにしてもよい。
【００７１】
引出口８１の下方には、張出基礎８８が設けられていない無基礎領域９１が形成されている（図６及び図８も参照）。具体的には、無基礎領域９１は、蓋部材８２とその下方の地盤面９３との間に形成された無基礎スペースとなっている。この場合、出隅壁部７０の下方領域のうち、蓋部材８２の下方が無基礎領域９１とされ、それ以外の領域に張出基礎８８が設けられている。これにより、出隅壁部７０（配管設置スペース７７）の下方に張出基礎８８を設けながらも、空調用配管４８を配管設置スペース７７から引出口８１を通じて下方に引き出すことが可能となっている。
【００７２】
無基礎領域９１は、出隅壁部７０の下方領域において南側外壁部２２の外壁部分２２ｃ（詳細にはその下方の基礎１１）の西面側に形成されており、詳しくは同西面側における北寄りの一部に形成されている。この場合、同西面側において無基礎領域９１の南側つまり建物１０正面側には張出基礎８８が配設されている。そのため、無基礎領域９１は建物１０正面側から張出基礎８８によって覆われた状態となっている。
【００７３】
なお、図示は省略するが、出隅部３２に設けられた出隅カバー５０の下方にも張出基礎が設けられ、引出口の下方には張出基礎が存在しない無基礎領域が形成されている。したがって、空調装置４１の空調用配管４５についても引出口から下方に引き出すことが可能となっている。
【００７４】
ところで、建物１０には、その外周部に沿って水切部材９５と防鼠部材９６とが設けられている。以下、これら各部材９５，９６の設置構成について図１０及び図１１に基づいて説明する。なお、図１０は水切部材９５及び防鼠部材９６の配設経路を示す平面図である。図１１は、水切部材９５及び防鼠部材９６の設置構成を示す断面図であり、（ａ）が図１０のＣ−Ｃ線断面に相当し、（ｂ）が図１０のＤ−Ｄ線断面に相当し、（ｃ）が図１０のＥ−Ｅ線断面に相当する。
【００７５】
図１０に示すように、水切部材９５と防鼠部材９６とはいずれも建物外周部に沿って同外周部全域に亘って配設されている。水切部材９５は、外壁部２１〜２３（外壁パネル５５）の壁幅方向に沿った長尺状に形成されており、例えばアルミニウム製の押し出し成形品からなる。防鼠部材９６は、外壁部２１〜２３（外壁パネル５５）の壁幅方向に沿った長尺状に形成されており、例えば鋼板よりなる。水切部材９５と防鼠部材９６とはいずれも外壁部２１〜２３と基礎１１との境界高さに配設され、水切部材９５が屋外側、防鼠部材９６が屋内側に配置されている。
【００７６】
また、図示は省略するが、防鼠部材９６には、板厚方向に貫通する複数の通気孔が形成されており、その通気孔を通じて床下空間の換気を行うことが可能となっている。なお、これらの通気孔は、鼠等の小動物の侵入を阻止できる程度の大きさで形成されている。
【００７７】
図１１（ａ）には、建物外周部において出隅カバー５１が設けられていない領域（以下、通常領域１０７という）における水切部材９５と防鼠部材９６との設置構成が示されている。なお、図１１（ａ）は、建物外周部を通常領域１０７で切断した断面図となっている。同図１１（ａ）に示すように、外壁パネル５５において外壁フレーム５８の下端部に配された横フレーム材５８ｂはその溝部を下方に向けて配設されており、その配設状態において屋外側のフランジ部９９の一部が外壁面材５７の下端よりも下方にはみ出してはみ出し部９９ａとなっている。このはみ出し部９９ａの屋外側面には、水切部材９５（９５ａ）と防鼠部材９６（９６ａ）とが共通のビス９７により固定されている（換言すると共締めされて一体とされている）。
【００７８】
水切部材９５ａと防鼠部材９６ａとはいずれも通常領域１０７において基礎１１（詳細にはその屋外側縁部）と外壁面材５７（外壁部２１〜２３の屋外側縁部）との境界部に沿って配設されている。この場合、水切部材９５ａは外壁面材５７の屋外面を流下する水を基礎１１よりも屋外側に導き排出する。また、防鼠部材９６ａは、基礎１１の天端と外壁面材５７の下端部との間を閉鎖するように設けられ、それら両者１１，５７の間を通じて鼠等の小動物が基礎１１の内側空間（すなわち床下空間）へ侵入するのを防止している。
【００７９】
続いて、建物外周部のうち出隅カバー５１が設けられている領域（以下、カバー配設領域１０８という）における水切部材９５及び防鼠部材９６の設置構成について説明する。カバー配設領域１０８では、出隅壁部７０の下方に張出基礎８８が設けられている領域（以下、基礎配設領域１０９という）と、張出基礎８８が設けられていない領域（以下、基礎非配設領域１１０という）とで水切部材９５及び防鼠部材９６の設置構成が相違している。以下、これら各領域１０９，１１０における水切部材９５及び防鼠部材９６の設置構成について説明する。
【００８０】
まず、基礎配設領域１０９における設置構成について説明する。図１１（ｂ）は、建物外周部を基礎配設領域１０９で切断した断面図となっている。同図１１（ｂ）に示すように、基礎配設領域１０９では、出隅カバー５１（詳しくは壁面材６６）の裏面下部に平板状の取付プレート１０１が接着等により固定されている。取付プレート１０１は、壁面材６６の幅方向に沿った長尺状とされ、その一部が壁面材６６の下端部よりも下方にはみ出してはみ出し部１０１ａとなっている。このはみ出し部１０１ａの屋外側面には水切部材９５（９５ｂ）と防鼠部材９６（９６ｂ）とがそれぞれ共通のビス１０２により固定されている（換言すると共締めされて一体とされている）。
【００８１】
水切部材９５ｂと防鼠部材９６ｂとはいずれも張出基礎８８の屋外側縁部と出隅カバー５１（換言すると出隅壁部７０の屋外側縁部）の下端部との境界部に沿って配設されている。この場合、水切部材９５ｂは、出隅カバー５１の屋外面を伝って流下する水を張出基礎８８よりも屋外側に導き排出する。また、防鼠部材９６ｂは、張出基礎８８の天端と出隅カバー５１の下端部との間を閉鎖するように設けられ、それら両者５１，８８の間を通じて鼠等の小動物が床下空間及び配管設置スペース７７に入り込むのを防止している。
【００８２】
また、張出基礎８８の天端と外壁面材５７の下端部との間にはゴム材よりなる止水材１０３が配設されている。これにより、床下空間に水が入り込むのをより確実に防止している。
【００８３】
続いて、基礎非配設領域１１０における水切部材９５及び防鼠部材９６の設置構成を説明する。図１１（ｃ）は、建物外周部を基礎非配設領域１１０で切断した断面図となっている。同図１１（ｃ）に示すように、基礎非配設領域１１０では、水切部材９５（９５ｂ）が出隅カバー５１の下端部に沿って配設されているのに対し、防鼠部材９６（９６ａ）が基礎１１（詳細にはその屋外側縁部）と外壁面材５７（南側外壁部２２の屋外側縁部）の下端部との境界部に沿って配設されている。水切部材９５ｂは、取付プレート１０１のはみ出し部１０１ａの屋外側面にビス１０５により固定されており、防鼠部材９６ａは、横フレーム材５８ｂのフランジ部９９（はみ出し部９９ａ）の屋外側面にビス１０６により固定されている。
【００８４】
この場合、水切部材９５ｂは、出隅カバー５１の屋外面に沿って流下する水を基礎１１よりも屋外側に導いて排出する。また、防鼠部材９６ａは、基礎１１の天端と外壁面材５７の下端部との間を閉鎖するように設けられ、それら両者１１，５７の間を通じて鼠等の小動物が床下空間に入り込むのを防止している。
【００８５】
また、通常領域１０７とカバー配設領域１０８（基礎非配設領域１１０）との境界部には同境界部に沿って水切部材９５（９５ｃ）が配設され、基礎配設領域１０９と基礎非配設領域１１０との境界部には同境界部に沿って防鼠部材９６（９６ｃ）が配設されている。図６には、これら各境界部に配設された水切部材９５ｃ及び防鼠部材９６ｃの設置構成が示されている。同図６に示すように、出隅カバー５１の繋ぎカバー部５１ｃの裏面には取付プレート８６が接着等により固定されている。取付プレート８６には、出隅カバー５１の下端部よりも下方にはみ出したはみ出し部８６ａが設けられ、そのはみ出し部８６ａの屋外側面に水切部材９５ｃがビス８７により固定されている。この場合、水切部材９５ｃは、繋ぎカバー部５１ｃの屋外面に沿って流下する水を屋外側に導き排出する。
【００８６】
フレーム６５Ａ下端部に配された横フレーム材６７ａには、張出基礎８８の無基礎領域９１側の端部上に配置された連結材６９が設けられており、その連結材６９に対して防鼠部材９６ｃが取り付けられている。なお、図１２には、横フレーム材６７ａ及びその周辺部材が示されている。具体的には、当該連結材６９では、各フランジ６９ｂのうち一方が張出基礎８８と無基礎領域９１との境界部（換言すると、基礎配設領域１０９と基礎非配設領域１１０との境界部）上に配置されており、当該一方のフランジ６９ｂの一部が横フレーム材６７ａの下端よりも下方にはみ出してはみ出し部６９ｃを形成している。そのはみ出し部６９ｃには防鼠部材９６ｃがビス９４により固定されている。この場合、防鼠部材９６ｃは張出基礎８８の天端における無基礎領域９１側の端縁部とフランジ６９ｂ（上記一方のフランジ６９ｂ）の下端部との間を閉鎖するように設けられ、それら両者８８，６９ｂの間を通じて鼠等の小動物が配管設置スペース７７に侵入するのを防止している。
【００８７】
ところで、本実施形態では、図１３に示すように、リフォームにより事後的にリビング２６と和室２７との間の間仕切壁１１１に出入口１１２を形成し、その出入口１１２に引き戸１１３を設置している。そして、かかる引き戸１１３の設置に伴い、引き戸１１３が空調装置４２の室内機４６と干渉するのを回避すべく、室内機４６の設置位置を南側外壁部２２の外壁部分２２ｃから外壁部分２２ａへと変更している。
【００８８】
この場合、かかる室内機４６の設置変更に伴い、外壁部分２２ａに空調用配管４８を挿通するための貫通孔１１５を新たに形成し、その貫通孔１１５を通じて空調用配管４８を和室２７から配管設置スペース７７に導いている。そして、配管設置スペース７７において空調用配管４８を貫通孔１１５から引出口８１まで両外壁部分２２ａ，２２ｃに跨がって配設している。これにより、事後的に室内機４６の設置位置が変更された場合でも、空調用配管４８を出隅カバー５１により覆うことができ同配管４８の屋外への露出を防止することができる。
【００８９】
以上、詳述した本実施形態の構成によれば、以下の優れた効果が得られる。
【００９０】
南側外壁部２２において出隅部３１を形成する両外壁部分２２ａ，２２ｃの屋外側に跨がって出隅カバー５１を設け、その出隅カバー５１と両外壁部分２２ａ，２２ｃとの間に空調用配管４８を配設するための配管設置スペース７７を形成した。この場合、配管設置スペース７７が外壁部２２の２面に跨がって形成されるため、同スペース７７において空調用配管４８を外壁部２２に沿って２面に跨がり配設することができる。これにより、空調用配管４８の露出を防止するにあたり、同配管４８の配設に関する自由度を高めることができる。
【００９１】
基礎１１の外側面から配管設置スペース７７の下方に張り出すように張出基礎８８を設けたため、南側外壁部２２に出隅カバー５１を外付けする構成にあって基礎と建物との一体感を高めることができる。
【００９２】
配管設置スペース７７の下面側に同スペース７７から空調用配管４８を引き出すための引出口８１を設け、その引出口８１の下方に張出基礎８８が存在しない無基礎領域９１を形成した。この場合、配管設置スペース７７の下方に張出基礎８８を設けた構成にあって、空調用配管４８を配管設置スペース７７から下方に引き出すことができる。これにより、出隅カバー５１に引出口を形成し同引出口から空調用配管４８を側方に引き出す場合と比べ、建物１０の美観が損なわれるのを抑制することができる。
【００９３】
配管設置スペース７７の下面側において無基礎領域９１の上方には、同スペース７７内に配設された空調用配管４８を点検するための点検口８０を設け、その点検口８０には、当該点検口８０を閉鎖する蓋部材８２を取り外し可能に設けた。これにより、配管設置スペース７７の下方に張出基礎８８を設けた構成にあって、空調用配管４８の点検が可能となる。
【００９４】
点検口８０を閉鎖するための蓋部材８２に引出口８１を形成したため、引出口８１を点検口８０と異なる場所に別途設ける必要がなく、構成の簡素化が図れる。また、この場合、引出口８１が点検口８０と同位置にあるため、空調用配管４８は点検口８０を通って配設される。そのため、点検口８０から空調用配管４８を点検する際に点検し易い。
【００９５】
引出口８１を、配管設置スペース７７の下面側において建物１０正面側（南面側）とは異なる側（西面側）に配置し、その引出口８１の下方に無基礎領域９１を形成した。この場合、配管設置スペース７７より空調用配管４８を建物１０正面側とは異なる側で引き出すことができるため、建物１０正面側の美観が損なわれるのを抑制することができる。
【００９６】
また、無基礎領域９１を建物１０正面側から覆うようにして張出基礎８８を設けたため、引出口８１から無基礎領域９１に引き出される空調用配管４８を建物１０正面側から覆い隠すことができる。これにより、建物１０正面側の美観が損なわれるのを大いに抑制することができる。
【００９７】
出隅カバー５１をフレーム６５を介して外壁部分２２ａ，２２ｃに固定したため、出隅カバー５１を外壁部分２２ａ，２２ｃの屋外側に安定した状態で設置することができる。また、フレーム６５において縦フレーム材６８と横フレーム材６７とをそれら両者６７，６８間ごとに配設した連結材６９を介して連結し、具体的には連結材６９により各フレーム材６７，６８を空調用配管４８の外径よりも大きな間隔を隔てて連結した。これにより、配管設置スペース７７において空調用配管４８を縦横いずれの向きにも配設し易くその取り回しを好適に行うことができる。
【００９８】
出隅カバー５１を、複数の壁面材６６ａ〜６６ｅを並設することにより構成したため、出隅カバー５１を南側外壁部２２に外付けする際には、重量の小さい壁面材６６単位で取付作業をすることができる。これにより、出隅カバー５１の取り付けに際し作業負担の軽減を図ることができる。
【００９９】
本発明は上記実施形態に限らず、例えば次のように実施されてもよい。
【０１００】
（１）上記実施形態では、出隅カバー５０〜５２を略Ｌ字状に形成したが、出隅カバーの形状は必ずしもＬ字状に限定されない。例えば、建物に、平面視で外壁面から屋外側に突出するように矩形状の凸状部分が形成されている場合、その凸状部分の３面を覆うようにコ字状の出隅カバーを設けることが考えられる。その場合、出隅カバーは凸状部分に形成された２つの出隅部を跨いで配置されることとなる。
【０１０１】
（２）上記実施形態では、建物１０の南面側（正面側）の出隅部３１〜３３に対して出隅カバー５０〜５２を設けたが、建物１０の北面側や西面側等、建物正面側とは異なる側の出隅部に出隅カバーを設けてもよい。すなわち、建物１０において美観を高めたい面や、建物１０における配管の設置位置などに応じて出隅カバーの設置位置を適宜設定すればよい。
【０１０２】
（３）上記実施形態では、空調用配管４８の引出口８１を配管設置スペース７７の下面側に設けたが、引出口を配管設置スペース７７の側面側に設けてもよい。すなわち、出隅カバー５１を厚み方向に貫通することで引出口を設けてもよい。この場合でも、引出口を出隅カバー５１の下端側に設定すれば、引出口を屋外側から覆うように室外機４７を設置できるため、引出口や空調用配管４８が屋外に露出するのを防止することができる。
【０１０３】
また、上記実施形態では、引出口８１を建物１０の西面側に設けたが、建物１０の南面側（建物正面側）に設けてもよい。また、引出口を建物１０の西面側及び南面側の両方に設けてもよい。
【０１０４】
（４）上記実施形態では、配管設置スペース７７の下方領域の一部に張出基礎８８の存在しない無基礎領域９１を形成したが、配管設置スペース７７の下方領域の全部に張出基礎８８を設けてもよい。ただ、この場合、上記（３）で説明したように、引出口８１を配管設置スペース７７の側面側に設ける必要がある。また、配管設置スペース７７の下方に張出基礎８８を設けないようにしてもよい。
【０１０５】
（５）上記実施形態では、フレーム６５において横フレーム材６７を南側外壁部２２に固定し、縦フレーム材６８を出隅カバー５１に固定したが、これを逆にして、縦フレーム材６８を南側外壁部２２に固定し、横フレーム材６７を出隅カバー５１に固定してもよい。
【０１０６】
（６）上記実施形態では、配管設置スペース７７（配設スペース）に空調用配管４８を配設するようにしたが、同スペース７７に給水配管や排水配管、雨樋などその他の配管を配設するようにしてもよい。また、配設スペースを配管設置スペースではなく、配線を配設するための配線設置スペースとして用いてもよい。例えば、電気自動車を屋外で充電可能とするために建物外周部に充電設備を設置する場合には、その充電設備まで商用電力を供給する給電用配線を外壁部に沿って配設することが考えられるが、その場合にかかる給電用配線を配線設置スペースに配設するようにしてもよい。
【０１０７】
（７）上記実施形態では、ユニット式建物への適用例を説明したが、鉄骨軸組工法により構築される建物や、在来木造工法により構築される建物等、他の構造の建物にも本発明を適用してもよい。
【符号の説明】
【０１０８】
１０…建物、１１…基礎、２１〜２３…建物外壁としての外壁部、２２ａ…外壁部分、２２ｃ…外壁部分、３１〜３３…出隅部、４８…配管としての空調用配管、５０〜５２…化粧カバーとしての出隅カバー、６５…固定フレームとしてのフレーム、６６…パネル材としての壁面材、６７…横材としての横フレーム材、６８…縦材としての縦フレーム材、６９…連結材、７０…出隅壁部、７７…配設スペースとしての配管設置スペース、８０…点検口、８１…引出口、８２…蓋部材、８８…張出基礎部としての張出基礎、９１…無基礎領域、９５…水切部材、９６…防鼠部材。
【図１】
2014084629.tif 000003
【図２】
2014084629.tif 000004
【図３】
2014084629.tif 000005
【図４】
2014084629.tif 000006
【図５】
2014084629.tif 000007
【図６】
2014084629.tif 000008
【図７】
2014084629.tif 000009
【図８】
2014084629.tif 000010
【図９】
2014084629.tif 000011
【図１０】
2014084629.tif 000012
【図１１】
2014084629.tif 000013
【図１２】
2014084629.tif 000014
【図１３】
2014084629.tif 000015